(57)【要約】【課題】  雨水等を利用して容易にゴミステーションを洗浄することができる洗浄設備を提供する。【解決手段】  ゴミステーションＷＳにおいて、上面が地上に開口した状態で地中に設置された、雨水等を収容する集水タンク２と、ゴミステーションＷＳに隣接した側溝Ｃと前記集水タンク２とを連通する連通管４、５と、ゴミステーションＷＳの周壁Ｗに取り付けられた、その内部に供給される水を外方へ散水する散水管３と、前記集水タンク２内に位置する前記散水管３の一端部に接続された、集水タンク２内の水を散水管３に供給するための給水ポンプ１１とを備えている。【選択図】  図２
0003141181.tif 000002
【実用新案登録請求の範囲】
【請求項１】
ゴミ集積所に設置された、排水を収容する集水槽と、
ゴミ集積所に取り付けられた、その内部に供給される水を外方へ散水する散水管と、
前記集水槽内に位置する前記散水管の一端部に接続された、集水槽内の水を散水管に供給するためのポンプとを備えているゴミ集積所の洗浄設備。
【請求項２】
前記集水槽がゴミ集積所の地中に埋設されており、このゴミ集積所の近傍に形成されている排水路と前記集水槽との間に接続された連通管をさらに備えている請求項１記載の洗浄設備。
【請求項３】
前記排水路が道路に沿って形成されている側溝であり、集水槽における互いに異なる高さ位置から側溝に少なくとも二本の前記連通管が接続されており、この少なくとも二本の連通管のうち集水槽の高い第一の位置に接続された給水用連通管が側溝から集水槽に向けて下方に傾斜しており、集水槽の第一の位置より低い第二の位置に接続された排水用連通管が集水槽から側溝に向けて下方に傾斜している請求項２記載の洗浄設備。
【請求項４】
前記散水管が内管と外管とからなる二重管として構成されており、内管がその内外を連通するための多数の貫通孔を有しており、外管が内部の水を外部に散水するための散水孔を有している請求項１から３のうちのいずれか一の項に記載の洗浄設備。
【請求項５】
前記散水管が、ゴミ集積所の少なくとも出入り部を除く周縁に沿って形成された周壁における、地面から所定高さ位置に突設された支持ブラケットに支持されており、
この支持ブラケット上に小動物等進入防止用のネットが取り出し可能に収納されるている請求項１から４のうちのいずれか一の項に記載の洗浄設備。
【考案の詳細な説明】
【技術分野】
【０００１】
本考案はゴミ集積所の洗浄設備に関する。
【背景技術】
【０００２】
従来、周辺地域の家庭等から排出される各種ゴミを集積しておくためのゴミ集積所（ゴミステーションとも呼ばれる）が市街地等の適宜箇所に設置されている。このゴミ集積所は、そこに排出されたゴミをまとめておくことにより、行政等によるゴミ収集を容易にするためのものである。
【０００３】
ゴミステーションはどうしてもそこのゴミによって汚れてしまうが、最近の民間の開発団地におけるゴミステーションには水道設備が施されていないことが多い。このような場合、地域住民同士の取り決めで順番に自宅から洗浄用の水をゴミステーションまで運んで洗浄しているのが現状である。
【０００４】
一方、公共団体による開発団地では水道が設置されていることが多いが、老人にとってゴミステーションの洗浄は負担が大きいし、共稼ぎ等によって担当者が不在である場合には洗浄は困難である。将来はゴミの分別化が進むことによってゴミ収集の回数が増えるため、ゴミステーションの洗浄の必要回数も増大するであろう。また、住民の高齢化も進むので、ゴミステーションの洗浄は一層厄介な問題となる。
【０００５】
かかる状況下、ゴミ収集が終わった後で容易にゴミステーションの洗浄が行える設備が望まれている。
【０００６】
なお、ゴミステーションの臭気排除方法等は提案されている（たとえば特許文献１参照）が、ゴミステーションの洗浄について開示した文献は知らない。
【特許文献１】特開２００６−２４８６９９号公報
【考案の開示】
【考案が解決しようとする課題】
【０００７】
本考案は、上述した課題を解決するためになされたものであり、ゴミステーションの洗浄をほぼ自動的に行うことにより、いわゆるゴミ当番となる近隣住民の負担を大幅に軽減しうるゴミ集積所の洗浄設備を提供することを目的としている。
【課題を解決するための手段】
【０００８】
前記課題を達成するため、本考案の洗浄設備は、
ゴミ集積所に設置された、排水を収容する集水槽と、
ゴミ集積所に取り付けられた、その内部に供給される水を外方へ散水する散水管と、
前記集水槽内に位置する前記散水管の一端部に接続された、集水槽内の水を散水管に供給するためのポンプとを備えている。
【０００９】
前記排水は、雨水をはじめとして様々な排水を含んでいる。また、前記散水管としては、後述するような、内部の水を外部に散水するための散水孔が形成された管、シャワー、スプリンクラー等、散水することのできる管を含む。
【００１０】
かかる構成により、集水槽に集められた排水をポンプの作動によって散水管を通してゴミ集積所に散水することができるので、容易にゴミ集積所を洗浄することができる。したがって、ゴミ収集の作業員にポンプの作動（スイッチをオンするだけで済むであろう）を依頼することも可能であり、近隣住民の手間を大幅に低減することができる。
【００１１】
前記集水槽に自動的に洗浄水を取り入れるために、この集水槽をゴミ集積所の地中に埋設するとともに、このゴミ集積所の近傍に形成されている排水路と前記集水槽との間に連通管を接続することができる。
【００１２】
前記排水路として道路に沿って形成されている側溝を利用し、前記連通管を、集水槽における異なる高さ位置から側溝に少なくとも二本接続することができる。この二本のうち、集水槽の高い第一の位置に接続された連通管を給水用連通管とし、側溝から集水槽に向けて下方に傾斜させ、集水槽の第一の位置より低い第二の位置に接続された連通管を排水用連通管とし、集水槽から側溝に向けて下方に傾斜させることができる。こうすることにより、排水が集水槽を通って側溝へ流れるので、排水が長期間集水槽に滞留して腐敗することが防止される。
【００１３】
前記散水管にフィルター機能を具備させるために、この散水管を内管と外管とからなる二重管として構成し、内管としてその内外を連通するための多数の貫通孔が形成された管、例えばメッシュ管を採用し、外管としてその内部の水を外部に散水するための散水孔が形成された管を採用することができる。
【００１４】
また、前記散水管を、ゴミ集積所の少なくとも出入り部を除く周縁に沿って形成された周壁における、地面から所定高さ位置に突設された支持ブラケットに支持させ、さらに、集積されたゴミをカラスや小動物が荒らすことを防止するために、前記支持ブラケット上に小動物等進入防止用のネットを取り出し可能に収納することができる。
【考案の効果】
【００１５】
本考案によれば、集水槽に集められた排水を散水管を通してゴミ集積所に散水することができるので、容易にゴミ集積所を洗浄することができる。
【考案を実施するための最良の形態】
【００１６】
以下、添付の図面を参照しながら本考案の実施形態を説明する。しかし、以下の説明は本考案の実施の一形態であって、実用新案登録請求の範囲に記載の内容を減縮するものではない。
【００１７】
図１は本考案の実施形態にかかる洗浄設備が設置されたゴミ集積所（以下、ゴミステーションともいう）を示す斜視図である。図２は図１のＩＩ−ＩＩ線断面図である。図３は図２のＩＩＩ−ＩＩＩ線断面図である。
【００１８】
図１に示すように、ゴミステーションＷＳは、そこに集められたゴミをゴミ収集車が収集して回るため、道路Ｒぎわに設置されるのが一般的である。そして、ゴミステーションＷＳは、その道路Ｒに面した部分はゴミの搬入搬出のために開放されており、この開放部を除いた部分（通常は三方）はコンクリート等の周壁Ｗで囲まれているのが一般的である。また、道路Ｒぎわには道路Ｒに沿って、雨水等の排水を下水道へ導く等の目的で側溝Ｃが形成されている。一般的な側溝Ｃは、その適宜箇所が雨水が流れ込むように上方に向けて開口されており（図示せず）、その開口にはグレーチングプレート等が被せられている。
【００１９】
本実施形態の洗浄設備１は、ゴミステーションＷＳの地中に設置された、その上面が開口した集水槽（以下、集水タンクという）２と、この集水タンク２から地上へ延びて前記周壁Ｗに沿って延設された散水管３と、前記集水タンク２と側溝Ｃとを連通するためにこれら両者２、Ｃ間に接続された給水用連通管（以下、給水管ともいう）４および排水用連通管（以下、排水管ともいう）５とを有している。
【００２０】
散水管３は集水タンク２から立ち上がった後はほぼ水平に延設されて、三方の周壁Ｗの適宜箇所からほぼ水平に突設された複数個の支持ブラケット６に支持されている。すなわち、散水管３は、三方の周壁Ｗに沿って所定高さ位置をほぼ水平に張り巡らされている。散水管３の取付高さは、通常の状態に集積されたゴミの山の高さよりわずかに高いのが好ましい。そうすれば、ゴミによって汚れた周壁Ｗにも直接水をかけることができるし、また、後述するネット２０の収容場所としても好ましい位置となる。この好ましい高さとは、地面から約６０〜約１２０ｃｍ程度であろう。もちろん、この高さ寸法に限定することはない。
【００２１】
図２に示すごとく、給水管４および排水管５ともに同じ側溝Ｃに接続されている。給水管４は側溝Ｃから下方に傾斜して集水タンク２の第一の位置Ｐ１に接続され、排水管５は集水タンク２の第一の位置Ｐ１よりわずかに低い第二の位置Ｐ２から下方に傾斜して側溝Ｃに接続されている。側溝Ｃは水が流れるように傾斜しているので、二本の連通管４、５をこのように接続することができる。したがって、換言すれば、側溝Ｃの上流側に給水管４が接続され、下流側に排水管５が接続されていると言える。かかる構成により、側溝Ｃを流れる排水が給水管４を通して洗浄用水として集水タンク２に取り入れられる。また、排水管５を設置することにより、給水管４から流入した水は、集水タンク２を通って側溝Ｃへと流れるので、集水タンク２内に長期間滞留して腐敗等することが防止される。なお、図２では理解容易のために、側溝Ｃの傾斜、給水管４および排水管５の傾斜、並びに、第一の位置Ｐ１と第二の位置Ｐ２との高さの差を実際より大きく示している。
【００２２】
集水タンク２には、側溝Ｃを流れる雨水等の排水が給水管４を通って流れ込み、また、上面の開口部２ａから雨水が降り込む。この開口部２ａはゴミステーションＷＳの地面とほぼ同一レベルにされるが、洗浄後の水が開口部２ａから集水タンク２内に流れ込まないようにわずかに高くしてもよい。開口部２ａには繊維強化プラスティックや金属から製造されたグレーチングプレート７が蓋部材として装着されている。本実施形態では、雨天時に雨水を開口部２ａから直接集水タンク２へ取り入れるために、また、集水タンク２内を目視検査しやすいように、このようなグレーチングプレート７からなる蓋部材を用いている。しかし、かかる構成に限定することはない。通常の密封しうる蓋を用いてもよい。
【００２３】
図２に示すように、集水タンク２の内部における、左右両端それぞれから離間した部位に、底部近傍のみが連通するように幅方向（図２では紙面の表裏方向）にわたって二枚の仕切板８が渡されている。また、二枚の仕切板８同士の間における底部近傍には、水の流通を阻止する堰９が幅方向にわたって形成されている。また、集水タンク２の内部における前記給水管４の接続端にはゴミ取り用のバスケット１０が取り付けられている。これらのバスケット１０、仕切板８および堰９により、給水管４を通して取り入れられた水の中のゴミ、砂、浮遊物等が集水タンク２内を移動することが防止される。
【００２４】
集水タンク２は、たとえば繊維強化プラスティック等、相当の強度および耐食性を有する材料から製造されている。集水タンク２の内部には、前記仕切板８によって仕切られた一端側（図２では右端側）のスペースＳ１に前記給水管４が接続されており、他端側（図２では左端側）のスペースＳ２に前記排水管５が接続されている。そして、この他端側のスペースＳ２には、集水タンク２内の水を散水管３に圧送するための給水ポンプ１１が設置されている。従って、給水管４から流入した排水に含まれた浮遊物等は、前記バスケット１０、仕切板８および堰９によって給水ポンプ１１へ至ることが防止されることになる。もちろん、この給水ポンプ１１の吸水口にはフィルター（図示せず）が取り付けられている。
【００２５】
給水ポンプ１１には前記散水管３の一端部が接続されている。集水タンク２に溜まった水は、この給水ポンプ１１によって散水管３に圧送され、散水管３の散水孔（図４参照）１９からゴミステーションＷＳに散水される。散水された水はゴミステーションＷＳの地面や周壁Ｗを水洗し、その後、側溝Ｃへ流れ込む。
【００２６】
本実施形態における給水ポンプ１１としては、市販の汚水用の水中渦巻きポンプを採用しているが、とくに形式を限定する必要はない。水中で使用しうる好適なものであればよい。給水ポンプ１１の作動スイッチを収容したスイッチボックス１２は、たとえばゴミステーションＷＳの周壁Ｗに設置してもよい。作動スイッチにタイマーを設置し、スイッチオンした後所定時間経過するとポンプが停止するようにしてもよい。ポンプ１１にフロートスイッチ（図示せず）を設置しておき、スイッチオンした後、集水タンク２内が所定の水位まで下がったときにポンプが停止するようにしてもよい。また、タイマーとフロートスイッチの両方を設置してもよい。このようなスイッチおよびポンプを備えておけば、ポンプのスイッチをオン操作することをゴミ収集作業員に依頼することも可能となる。
【００２７】
図４には前記散水管３の一部分が示されている。その縦断面図である図４（ａ）に示すように、散水管３はその全長にわたって内管１３と外管１４とからなる二重管として構成されている。内管１３および外管１４は同軸状になっている。内管１３はステンレス鋼等の耐食金属製網から形成された市販のメッシュ管を採用している。したがって、必然的に多数の貫通孔１３ａが形成されている。もちろん、塩化ビニル管やステンレス鋼管に多数個の貫通孔が形成されたものを用いてもよい。内管１３としてこのような管を用いるのは、フィルター機能を発揮させるためである。
【００２８】
外管１４は市販のステンレス鋼管や塩化ビニル管から形成してもよい。この外管１４の下端には、その長手方向に所定間隔をおいて複数個の散水孔１９が形成されている。この散水孔列では、水は下方に向けて散水される。そこで、散水孔１９を外管１４の横断面における鉛直下方（上端位置を０°とした場合の１８０°位置）のみではなく、わずかに左右に変位した位置（たとえば１２０°位置や２４０°位置など）に形成してもよい。そうすることにより、周壁Ｗを直接に水洗することもでき、またゴミステーションＷＳ内における周壁Ｗから離れた地面にも直接散水することができる。
【００２９】
外管１４はフランジ１５によって複数本が連接されたものである。内管１３も外管１４とほぼ同一長さのものが使用されている。両端が開放された内管１３の一端部は、前記フランジ１５の内周に設けられた複数個の固定用爪１６に嵌め込むことにより着脱可能に取り付けられる。内管１３の他端部は隣接する内管１３の一端部にほぼ接するようにされている。また、内管１３の外表面には、外管１４の内面と接することによって外管１４内面との間に所定の間隔を確保して、内管１３の外管１４に対する同軸性を維持するためのスペーサ１７が取り付けられている。ゴミステーションＷＳの三方の周壁Ｗに張り巡らされた散水管３の他端部は開放されており、その開放端近傍にストップバルブ１８が取り付けられている。適時、前記フランジ１５部から散水管２を分解し、内管１３を取り出してそこに溜まったゴミを取り除いたり洗浄したりすることができる。こうすることにより、外管１４の散水孔１９の目詰まりも抑制することができる。そして、散水管３の先端側に接続される内管１３の最終端部（前記ストップバルブ１８の近傍になる）は開放せずに閉じるようにメッシュを編んでもよい。
【００３０】
図１〜図３に示すように、このゴミステーションＷＳには小動物等進入防止用のネット２０が設置されている。従来、これに似たネットはゴミステーションに用いられていることが多い。しかしながら、その収納場所に困ったり、ゴミステーションの地面に放置しておいた場合に汚れてしまうという問題も指摘されている。そこで、本実施形態の洗浄設備１では、このネット２０を前記した複数個の支持ブラケット６の上に畳んで載せておくことにより上記した問題を解決する。
【００３１】
この場合、三方の周壁Ｗのうち中央奥側の周壁に突設された支持ブラケット６の上に収納しておくのが望ましい。なぜなら、ネット２０の奥側の一端縁を中央奥側の周壁の支持ブラケットに取り付けておけば、使用時（ゴミに被せるとき）にそれとは反対側の端縁（図３中の符号２０ａ）を道路Ｒの方向引き出してゴミに被せることができる。また、逆に、ネット２０をこの端縁（引き出し側端縁）２０ａから巻きながら中央奥側周壁Ｗの支持ブラケット６に至らせれば、容易に支持ブラケット６上に収納することができる。利用者のこの作業を容易にするために、ネット２０の引き出し側端縁２０ａに沿って持ちやすいパイプ部材２１を固定しておくのが好ましい。
【００３２】
なお、ネット２０の一端縁を取り付けておくのは、特に中央奥側の周壁の支持ブラケットには限定されない。たとえば図２中の左右いずれかの周壁の支持ブラケットに取り付けておき、ネット２０を左右方向に引き出すようにしてもよい。
【００３３】
以上説明した実施形態では、多数の散水孔１９を有する一本の散水管３を周壁Ｗに沿って水平に延設しているが、かかる構成に限定することはない。たとえば、散水管が三方の周壁Ｗのうち中央奥側の周壁にのみ露出するようにしてもよい。さらには、散水管がゴミステーションＷＳの上方を左右に渡るように、左右の対向する周壁Ｗの上部同士の間に架け渡されていてもよい。または、前記給水ポンプからゴミステーションＷＳ内に延びる一本の管、または、複数本に分岐した管の先端にシャワーのように放水する金具、または、スプリンクラーのような回転する散水金具を取り付けたものを使用してもよい。これらも散水管と呼ぶ。この各管および金具はゴミステーションＷＳ内のゴミ集積範囲から外れた端の方に固定しておけばよい。
【００３４】
以上、最も好ましい実施形態を説明したが、かかる構成に限定されることはない。たとえば、集水タンク２をゴミステーションＷＳ内またはその近傍の地上に設置しておいてもよい。そして、雨水等の排水の供給源として側溝Ｃに代えて、たとえば近隣の民家の雨樋を利用し、この雨樋と集水タンクとを連通管によって接続してもよい。そうすることにより、民家の屋根に降り注いだ雨水を洗浄用水として収集することができる。
【００３５】
また、本考案は前述した実施形態に限定されるものではなく、本考案の趣旨を逸脱しない範囲でその構成を変更、追加、又は削除することができる。
【産業上の利用可能性】
【００３６】
この洗浄設備によれば、雨水等が集水タンクに集められ、散水管を通してゴミ集積所に散水されるので、容易にゴミ集積所を洗浄することができる。したがって、近隣住民が協同で管理するようなゴミステーションにとって有用である。
【図面の簡単な説明】
【００３７】
【図１】本考案の実施形態にかかる洗浄設備が設置されたゴミ集積所を示す斜視図である。
【図２】図１のＩＩ−ＩＩ線断面図である。
【図３】図２のＩＩＩ−ＩＩＩ線断面図である。
【図４】図４（ａ）は図１の洗浄設備における散水管の一例を示す縦断面図であり、図４（ｂ）は図４（ａ）のＩＶ−ＩＶ線矢視図である。
【符号の説明】
【００３８】
１・・・ 洗浄設備
２・・・ 集水タンク
３・・・ 散水管
４・・・ 給水管
５・・・ 排水管
６・・・ 支持ブラケット
７・・・ グレーチングプレート
８・・・ 仕切板
９・・・ 堰
１０・・・ バスケット
１１・・・ 給水ポンプ
１２・・・ （ポンプ作動スイッチの）スイッチボックス
１３・・・ （散水管の）内管
１４・・・ （散水管の）外管
１５・・・ フランジ
１６・・・ 固定用爪
１７・・・ スペーサ
１８・・・ ストップバルブ
１９・・・ 散水孔
２０・・・ （小動物等進入防止用の）ネット
２１・・・パイプ部材
Ｃ・・・ 側溝
Ｒ・・・ 道路
Ｗ・・・ 周壁
ＷＳ・・・ ゴミステーション
【図１】
0003141181.tif 000003
【図２】
0003141181.tif 000004
【図３】
0003141181.tif 000005
【図４】
0003141181.tif 000006